(57)【要約】【課題】設置スペースを極力削減し、且つ、満水時にさらに雨水を受ける場合でも、当該雨水の流入に伴って常に貯えられている雨水を入れ替えることができる雨水排水構造を提供する。【解決手段】建物１に降水される雨水を排水する雨水排水構造５であって、建物２に降水される雨水を一次的に集める集水部２１ａ、２１ｂと、敷地外に敷設される公共排水系統９０に接続される排水部２３と、を備え、集水部２１ａ、２１ｂの下流部から排水部２３の上流部までの排水経路２２を全体に亘って貯水部Ａとした。【選択図】 図１
2011038295.tif 000002
【特許請求の範囲】
【請求項１】
建物と該建物が建設されている敷地に降水される雨水のいずれか一方又は両方を排水する雨水排水構造において、
前記建物と敷地に降水される雨水のいずれか一方又は両方を一次的に集める集水部と、
前記敷地外に敷設される公共排水系統に接続される排水部と、
を備え、
該集水部の下流部から排水部の上流部までの排水経路を全体に亘って貯水部とした
ことを特徴とする雨水排水構造。
【請求項２】
前記貯水部は、
水勾配を有して形成され、上流端部が前記集水部の下流部に接続されて下流端部に向けて雨水を流す１又は複数の横樋部と、
該１又は複数の横樋部の下流端部に接続される受水槽と、を備え、
該受水槽に接続される前記排水部は、１又は複数の横樋部の下流端部のうち、最も低く位置づけられる下流部の底縁部よりも上方あって、且つ、１又は複数の横樋部の上流端部のうち、最も高く位置づけられる上流端部の上縁部よりも下方となる位置で前記受水槽に接続されている
ことを特徴とする請求項１に記載の雨水排水構造。
【請求項３】
敷地または該敷地に建設されている建物に降水される雨水を排水する雨水排水構造において、
前記雨水を集めて導水する集水部が、直接に、又は受水枡を介して横引きされた横樋部に接続され、該横樋部を経由して受水槽に連結され、且つ、該受水槽から横引きされた排水部を経由して公共排水系統に接続される配管構造を有し、
該公共排水系統に接続する排水部の管底よりも下方に位置する前記横樋部及び受水槽、又は、前記受水桝、横樋部及び受水槽を一次的に雨水を貯め得る貯水部としたことを特徴とする排水構造。
【請求項４】
前記横樋部は、配管状に形成されて地中に埋設されていることを特徴とする請求項２又は請求項３に記載の雨水排水構造。
【請求項５】
前記横樋部は、２００φ〜３００φの内径を有して形成されていることを特徴とする請求項２又は請求項３に記載の雨水排水構造。
【請求項６】
前記建物は中低層規模の集合住宅又は戸建て住宅であって、
前記横樋部は、当該住宅に使用される排水処理配管の２〜３倍の内径を有して形成されている
ことを特徴とする請求項２又は請求項３に記載の雨水排水構造。
【請求項７】
前記集水部は、前記建物の屋根に降水される雨水を受ける竪樋である
ことを特徴とする請求項１乃至請求項６のいずれかに記載の雨水排水構造。
【発明の詳細な説明】
【技術分野】
【０００１】
本発明は、住宅等に敷設される雨水排水構造に関する。
【背景技術】
【０００２】
昨今、都市部の増大化等とともに、水道利用量が増大し、水不足が深刻化し、また、地下水の不浸透域が増大して、地表温の上昇による都市のヒートアイランド化等も問題となっている。一方、洗車や庭園への灌水等には、上水を使用せずとも雨水を利用すれば充分であり、そうすることで上水使用量の節約にもなる。以上のようなことから、住宅内において、雨水を有効利用できるように貯水する構造を採り入れる試みがなされており、例えば、容量の大きい雨水タンクを住宅の適宜箇所に設ける構成が知られている。
【０００３】
ところで、当該雨水タンクは大きくなればなるほど高価となるばかりでなく、その雨水タンクを設置するためのスペースとコストも掛かってしまうという問題があった。
かかる問題を解決すべく、特許文献１には、複数のパイプを横引きとした状態で並列状に連結して水平タンクを形成し、当該水平タンクに集水・排水管、通気管、ドレン管等を連通して地下貯水タンクを形成した構成が開示されている。当該地下貯水タンクによれば、市販されているパイプを所望する容量や敷地に合わせて切断して、水平タンクを構成することができ、また、敷地の大きさに合わせて水平タンクを形成するパイプの本数を増減させて水平タンクの容量を調整することができ、スペースとコストの問題を解決できるとされている。
【先行技術文献】
【特許文献】
【０００４】
【特許文献１】特開平０９−１３７４７９号公報
【発明の概要】
【発明が解決しようとする課題】
【０００５】
しかしながら、上記特許文献１の地下貯水タンクにおいても、水平タンクを設置するためのスペース別途設けることを要し、依然として一定のスペースを水平タンクの設置スペースとして確保する必要があり、設置スペース削減には更なる改良の余地がある。また、水平タンク内に貯えられた雨水は、ドレン管のコックを開閉させることで排水溝に排水される構成であり、雨水の貯まり具合や流入する雨水の量に応じてコックを開閉させなければタンク内の雨水の量を適正に保てない。また、雨水を受ける竪樋に連結されるパイプとタンクとが直列に連結され、これらの間から分岐して水平タンクが設けられる構成であるため、水平タンク内に満杯に雨水が貯えられると、当該水平タンク内に雨水を流入させることなく直流でパイプからの雨水がポンプに流入することとなり、当該水平タンク内の雨水が一向に入れ替えられないものとなり、水質を低下させてしまうという問題もある。
【０００６】
本発明は、このような問題を解決するためになされたものであり、設置スペースを極力削減し、且つ、満水時にさらに雨水を受ける場合でも、当該雨水の流入に伴って常に貯えられている雨水を入れ替えることができる雨水排水構造を提供することを目的とする。
【課題を解決するための手段】
【０００７】
（１）上記課題解決のための具体的手段として、本願発明は、
建物と該建物が建設されている敷地に降水される雨水のいずれか一方又は両方を排水する雨水排水構造において、
前記建物と敷地に降水される雨水のいずれか一方又は両方を一次的に集める集水部と、
前記敷地外に敷設される公共排水系統に接続される排水部と、
を備え、
該集水部の下流部から排水部の上流部までの排水経路を全体に亘って貯水部とした
ことを特徴としている。
【０００８】
これによれば、排水経路自体が貯水部として形成されているため、雨水を貯えるために別途タンク等を設ける必要がなく、スペースの著しい削減を図ることができる。また、集水部の雨水を排水部に向けて流通させる排水経路として設けられているため、当該貯水部中の雨水は集水部からの雨水の流入によって適宜流下することとなり、これによって、貯水部に貯えられる雨水を常に入れ替えることができる。同時に、集水部からの雨水の流入の度に貯水部たる排水経路の上流側から下流側に亘って雨水が流れるため、当該雨水の流れに伴って排水経路の内壁が洗浄されることとなり、これによって排水経路の汚れを低減させることができる。
【０００９】
（２）また、前記貯水部は、
水勾配を有して形成され、上流端部が前記集水部の下流部に接続されて下流端部に向けて雨水を流す１又は複数の横樋部と、
該１又は複数の横樋部の下流端部に接続される受水槽と、を備え、
前記排水部は、１又は複数の横樋部の下流端部のうち、最も低く位置づけられる下流部の底縁部よりも上方あって、且つ、１又は複数の横樋部の上流端部のうち、最も高く位置づけられる上流端部の上縁部よりも下方となる位置で前記受水槽に接続されている
ことを特徴としている。
【００１０】
これによれば、雨水が流下することとなる横樋部及び受水槽自体に雨水を貯えることができる。当該横樋部は、そもそも雨水を受水槽（排水溝）に向けて流すものであるので、雨水を貯めるためのスペースは、当該排水のためのスペースと一致するため、別途貯水のためのスペースを設けることを要せず、著しいスペース削減を図ることができる。
また、この様に雨水を送り出す横樋部に雨水を貯留するため、当該横樋部に充分な雨水が貯まっている場合であっても、当該横樋部の上端部に雨水が流れ込むと、受水槽に貯まっている雨水のうち、横樋部に流れ込んできた雨水に相当する量の雨水が排水管から排水溝に流れ込み、排出される。したがって、雨水の流入により常に貯えられる雨水が入れ替えられることとなり、貯えられている雨水の質の劣化を防止することができる。
【００１１】
（３）かかる点に鑑みれば、敷地または該敷地に建設されている建物に降水される雨水を排水する雨水排水構造において、
前記雨水を集めて導水する集水部が、直接に、又は受水枡を介して横引きされた横樋部に接続され、該横樋部を経由して受水槽に連結され、且つ、該受水槽から横引きされた排水部を経由して公共排水系統に接続される配管構造を有し、
該公共排水系統に接続する排水部の管底よりも下方に位置する前記横樋部及び受水槽、又は、前記受水桝、横樋部及び受水槽を一次的に雨水を貯め得る貯水部としたことを特徴とすることも好ましい。
【００１２】
（４）また、前記横樋部は、配管状に形成されて地中に埋設されていることが好ましい。これによれば、貯水部が地上に露出することがなく、当該貯水部に貯えられている雨水にごみ等が入り込むことを防止することができる。また、排水経路の上方を植栽スペースや駐車スペース等として有効活用することができる。
（５）また、前記横樋部は、２００φ〜３００φの内径を有して形成されていることが好ましい。これにより、充分な雨水を横樋部中に貯えることができる。一方、横樋部の径をたとえば３００φ以上の著しく径大に形成すると、設置が困難となったり、受水槽との連結が困難となったりするのみならず、隣地境界線や建物の基礎との関係から横樋部を敷地内に適切に配置することが困難となるという問題を生じかねない。かかる観点からも、上述の如き内径を有する横樋部とすることが好ましい。
【００１３】
（６）かかる点に鑑みれば、前記建物は中低層規模の集合住宅又は戸建て住宅であって、前記横樋部は、当該住宅に使用される排水処理配管の２〜３倍の内径を有して形成されていることが好ましい。
（７）さらに、前記集水部は、前記建物の屋根に降水される雨水を受ける竪樋であることが好ましい。
これによれば、建物の屋根等に降った雨水のみを貯水部に貯えることができ、貯水される水の清浄度を高めることができる。
【発明の効果】
【００１４】
本発明の雨水排水構造によれば、設置スペースを極力削減し、且つ、満杯時にさらに雨水を受ける場合でも、当該雨水の流入に伴って常に貯えられている雨水を入れ替えることができる。
【図面の簡単な説明】
【００１５】
【図１】本実施形態の雨水排水構造を備えた建物の側面図である。
【図２】本実施形態の雨水排水構造を備えた建物の平面図である。
【図３】本実施形態の雨水排水構造の貯水状態を示す側面図である。
【図４】本実施形態の雨水排水構造の貯水状態を示す他の側面図である。
【図５】他の実施形態の雨水排水構造の側面図である。
【図６】他の実施形態の雨水排水構造の側面図である。
【発明を実施するための形態】
【００１６】
以下、図面を参照しつつ、本発明に係る雨水排水構造５を備えた建物１の実施形態について詳細に説明する。
図１に示す如く、本実施形態の建物１は、建物躯体２と、該建物躯体２に上水を供給する上水道系統３と、該建物躯体２に降りかかる雨水を排水処理する雨水排水構造５とを備えている。当該雨水排水構造５は、建物１の敷地外にＵ字溝として配設される公共排水系統９０に接続されている。
なお、本実施形態において、雨水とは、雨水はもちろん、一旦建物２に積雪し、溶け出して雨水排水構造を介して処理される水等も含む。
建物躯体２は、基礎上に組み上げられる構造躯体と、該構造躯体に支持される外壁１０とを備えて形成される地上２階の組立住宅である。また、建物躯体２には、水勾配を有して形成される陸屋根部１１が形成されている。
【００１７】
また、該建物躯体２内に形成される居室には、台所や洗面所、浴室の水道等の上水利用設備が設けられており、上水道系統３は、公共水道本管９１に接続される配水管１２を備え、居室内の各上水利用設備に連結されている。
雨水排水構造５は、建物１の陸屋根部１１に接続されて当該陸屋根部１１に降りかかる雨水を一時的に集める集水部２１と、該集水部２１に流れ込んだ雨水を公共排水系統９０に向けて送り込む排水経路２２と、該排水経路２２と公共排水系統９０とを接続する排水部２３とを備えている。
建物２は、２階の屋根を形成する第１陸屋根部１１ａと、１階の屋根を形成する第２陸屋根部１１ｂを備え、当該第１陸屋根部１１ａに第１集水部２１ａが接続されると共に、第２陸屋根部１１ｂに第２集水部２１ｂが接続されている。
【００１８】
各集水部２１ａ、２１ｂは、陸屋根部１１ａ、１１ｂの水勾配の下流部に接続される接続部２５ａ、２５ｂと、該接続部２５ａ、２５ｂに接続されると共に建物躯体２の外壁１０に沿って鉛直に延伸されて当該接続部２５ａ、２５ｂで受けた雨水を排水経路２２に向けて流下させる竪樋部２６ａ、２６ｂと、該竪樋部２６ａ、２６ｂの下流部に接続されて流れ込んでくる雨水を浄化する浄化セパレータ２７ａ、２７ｂとを備えている。
なお、本実施例においては、各陸屋根部１１ａ、１１ｂに１本の集水部２１ａ、２１ｂがそれぞれ設けられているが、集水部の処理能力や陸屋根部の大きさに応じ、配設すべき集水部の本数は適宜変更可能である。
排水経路２２は、集水部２１のセパレータ２７に接続される一対の受水桝３１ａ、３１ｂと、該受水桝３１ａ、３１ｂから横方向に延伸して形成される横樋部３２ａ、３２ｂと、該横樋部３２ａ、３２ｂの下流端部に接続される受水槽３３とを備えている。
【００１９】
本実施形態においては、受水槽３３からみて遠い位置に第１受水桝３１ａを備えると共に、当該第１受水桝３１ａよりも受水槽３３からみて近い位置に第２受水桝３１ｂを備えている。各受水桝３１ａ、３１ｂは、コンクリート又は樹脂を上部開放状の箱状に形成されて地中に埋設される桝本体３４ａ、３４ｂと、該桝本体３４ａ、３４ｂの上部を覆う桝蓋３５ａ、３５ｂとを備え、各桝本体３４ａ、３４ｂの側部には、貫通孔３６ａ、３６ｂがそれぞれ形成されている。
各横樋部３２ａ、３２ｂは、樹脂を円筒状に形成して地中に埋設されており、受水槽３３からみて遠い位置ある第１受水桝３１ａと、受水槽３３からみて近い位置にある第２受水桝３１ｂとを接続する第１横樋部３２ａと、該第２受水桝３１ｂと受水槽３３とを接続する第２横樋部３２ｂとを備えている。
【００２０】
第１横樋部３２ａは、第１受水桝３１ａから第２受水桝３１ｂに向けて下り傾斜状に傾けて配設されており、第２横樋部３２ｂは第２受水桝３１ｂから受水槽３３に向けて下り傾斜状に形成され、第１横樋部３２ａ、第２横樋部３２ｂの管底は、第１受水桝３１ａから第２受水桝３１ｂ及び受水槽３３方向に向かって徐々に低くいものとなっている。また、これら各横樋部３２ａ、３２ｂの中心軸は一致しており、これらの下り勾配の傾斜角度は同一である。
また、各横樋部３２ａ、３２ｂは、少なくとも２００φ〜３００φの内径を有して形成されており、これは、例えば排水部２３として使用される配管の内径（１００φ）の２〜３倍の内径を有していることとなる。或いは、通常の低層戸建て住宅の排水管として用いられる管の内径（１００φ）の２〜３倍の内径を有していることとなる。
【００２１】
受水槽３３は、コンクリート又は樹脂製であって、各受水桝３１ａ、３１ｂよりも大きい上部開放の箱状に形成されて地中に埋設される水槽本体４１と、該水槽本体４１の上部を覆う水槽蓋４２とを備えている。
該水槽本体４１は、一側部に貫通孔４３が形成されて第２横樋部３２ｂに接続されており、他側部にも貫通孔４４が形成されて排水部２３に接続されている。
排水部２３は、樹脂を円筒の管状に形成して地中に埋設されている。また、受水槽３３に接続される排水部２３は、受水槽側の端部の管底を第１横樋部３２ａの上流端部の上縁部よりも僅か下方となる位置とした状態で当該受水槽３３に接続されており、当該位置から下り傾斜状に延伸されて公共排水系統９０に接続されている。
【００２２】
これによって、各集水部２１ａ、２１ｂを通過して雨水が排水経路２２に浸入すると、まず、各受水桝３１ａ、３１ｂ及び横樋部３２ａ、３２ｂを通過して適宜受水槽３３に当該雨水が貯えられることとなる。そして、さらに雨水が排水経路２２に流れ込むこととなると、適宜受水槽３３にさらに雨水が貯えられることとなるが、該受水槽３３に貯えられた雨水を排水する排水部２３は第１横樋部３２ａの最上縁部の僅か下方、すなわち、少なくとも第２横樋部３２ｂの下流端部の上縁部よりも高い位置にて受水槽３３に接続されているため、当該雨水により水位は上昇して第２横樋部３２ｂに入り込み、該第２横樋部３２ｂにも雨水が貯えられることとなる。
【００２３】
その後、さらに雨水が貯えられていくと、排水経路２２内の水位はさらに上昇することとなり、図３に示す如く、第２受水桝３１ｂ、第１横樋部３２ａにも雨水が貯えられることとなる。その後、さらに雨水が貯えられて排水経路２２内の水位が上昇すると、図４に示す如く、最終的には第１受水桝３１ａにも雨水が貯えられることとなり、当該水位が遂には受水槽３３に接続される排水部２３の管底の高さに到達し、当該排水部２３から適宜雨水が排水されることとなる。
【００２４】
この結果、排水経路２２は、集水部２１の下流部から排水部２３の上流部に至る全体が貯水部Ａとして形成されるのである。当該排水経路２２それ自体を貯水部Ａとし、雨水を貯える構成とするため、通常は単に雨水を受水槽３３に向けて流し送るための横引きの地中埋設排水配管を各横樋部３２ａ、３２ｂに置き換え、その内径を通常の排水配管の内径よりも著しく大とし、これによって、当該横樋部３２ａ、３２ｂに充分な雨水を貯えることが可能となっているのである。
【００２５】
このようにして排水経路２２に貯えられた雨水を利用すべく、受水槽３３は、図１に示す如く、中水道系統５０に接続されている。該中水道系統５０は、フィルタを備えた一端を受水槽３３の底部に挿入させた中水吸込み配管５１と、該中水吸込み配管５１の他端に接続された中水用ポンプ５２と、該中水用ポンプ５２の吐出側に接続される中水吐出配管５３と、該中水吐出配管５３に介装される逆止弁５４と、圧力タンク及び中水用ポンプ５２の制御手段である圧力スイッチ５５とを備えている。
【００２６】
また、中水吸込み配管５１には、建物１内の各居室に向けて配設される中水道用配管５６が接続されており、該中水道用配管５６の端部にはトイレ等や散水設備等の中水利用設備５７が連結されている。
また、受水槽３３には、上水道系統３の水道本管から配水管１２が延伸され、該配水管１２にボールタップ６２が接続されており、該ボールタップ６２は受水槽３３に蓄えられている貯水に浮かべられている。
【００２７】
本実施形態は以上の構成からなるものであって、本実施形態においては、雨水が建物１の陸屋根部１１ａ、１１ｂに降水されると、当該雨水は陸屋根部１１ａ、１１ｂの水勾配に沿って流下し、集水部２１ａ、２１ｂを経由して排水経路２２に流れ込む。当該排水経路２２は貯水部Ａとして機能するものであって、当該貯水部Ａに流れ込んだ雨水は、排水部２３を介して公共排水系統９０に排水されることはなく、先ず貯水部Ａに貯えられることとなる。そして、貯えられた雨水は、中水道系統５０を介して中水利用設備５７に供給される。当該中水道系統５０にあっては、中水利用設備５７にて中水が使用されると、圧力タンク内から中水の給水が始まるが、中水の使用により中水道用配管５６の圧力が低下して圧力スイッチ５５が閉じ、その信号に基づき中水用ポンプ５２が起動する。そして、中水利用設備５７による中水の使用が停止すると、圧力タンクの圧力が上昇し、中水道用配管５６及び中水吐出配管５７の圧力も上昇して圧力スイッチ５５が開き、その信号に基づき中水用ポンプ５２が停止する。
【００２８】
上述の如く中水利用設備５７を介して貯水部Ａに貯えられる雨水は使用され、これによって貯水部Ａ内の雨水は減少することとなるが、そのタイミングで再び降水等があれば、適宜貯水部Ａに貯えられる雨水が適宜集水部２１を通じて供給されることとなる。一方、このようにタイミングよく雨水が供給されない場合には、受水槽３３内の水位の低下に伴ってボールタップ６２が作動し、上水道系統３から配水管１２を介して上水が受水槽３３に補給される。
これにより、貯水部Ａには常時一定の水が貯えられることとなり、中水利用設備５７が使用不能となる虞はない。
【００２９】
本実施形態の雨水排水構造５によれば、排水経路２２自体が貯水部Ａとして形成されているため、雨水を貯えるために別途タンク等を設ける必要がなく、スペースの著しい削減が図られる。また、集水部２１ａ、２１ｂから排水部２３に向けて下り傾斜状に排水経路２２が形成され、当該集水部２１ａ、２１ｂから排水経路２２に流入した雨水は、適宜排水部２３に向けて流れることとなる。このため、排水経路２２は雨水の流れによって適宜洗浄され、清浄な状態を維持することが可能となっている。また、集水部２１ａ、２１ｂが排水経路２２の上流側、排水部２３が排水経路２２の下流側に設けられているため、貯水部Ａが満杯又はそれに近い状態で集水部２１から雨水が流れ込むと、その分だけ排水部２３からそれまで貯えられていた雨水が排水されることとなり、これによって、貯水部Ａに貯えられる水が常に入れ替えられることとなり、貯水部Ａに貯えられる水質の劣化が抑制されるものとなっている。
【００３０】
また、雨水を排水部２３に向けて送り出す横樋部３２ａ、３２ｂ及び受水桝３１ａ、３１ｂそれ自体に雨水を貯えられるため、雨水を貯めるためのスペースと当該排水のためのスペースとが一致し、別途貯水のためのスペースを確保することがなく、著しいスペースの削減が図られているのである。
また、排水経路２２は敷地に埋設されているので、貯水部Ａが地上に露出することがなく、敷地の見栄えの向上及び貯水部Ａ上方を有効活用することが可能となっている。
また、集水部２１が陸屋根部１１に降水される雨水を受ける竪樋として形成されているため、建物１の屋根等に降った雨水のみを貯水部Ａに貯えることができ、貯水される水の清浄度は高められ、また、従来は排水されるのみであった雨水を中水として有効活用することができるのである。
【００３１】
以上、本発明の実施形態について詳述したが、本発明は上述の実施形態に限定されるものではない。例えば、図５に示す如く、複数の横樋部を一の受水槽３３に接続して形成される排水経路２２であっても、本発明と同様の作用効果を奏する。この場合、排水部２３の受水槽側の管底が、複数の横樋部の下流端部のうち、最も低く位置づけられる下流部の底縁部よりも上方あって、且つ、該複数の横樋部の上流端部のうち、最も高く位置づけられる上流端部の上縁部よりも下方となる位置で前記受水槽３３に接続されていれば、排水経路２２の少なくとも一部を貯水部Ａとすることが可能となる。
もちろん、排水経路２２を一本で形成する場合には、少なくとも該排水経路２２を形成する横樋部の下流端部の底縁部よりも上方に排水部２３の受水槽側の管底を位置づけて受水槽３３に接続されてさえいれば、当該排水経路２２の少なくとも一部を貯水部Ａとして機能させることができる。
【００３２】
一方、横樋部の上流端部よりも高い位置に排水部２３を設けてしまうと、当該排水部２３から排水する前に横樋部の上流端部側から貯水していた雨水が溢れてしまうこととなるため、当該横樋部の上流端部よりも下方に排水部２３を設けることとしている。
また、横樋部が受ける集水部２１の数は、本実施形態においては２本であったが、３本以上であっても構わない。また、横樋部として上部開放状の排水溝を採用することができ、当該排水溝であっても、本実施形態と同様の作用効果を奏する。
【００３３】
また、受水桝を不存在として集水部２１たる竪樋及び浄化セパレータと横樋部とを連結する構成を採用しても、本実施形態と同様の作用効果を奏する。
また、集水部２１は、建物１の敷地内に降水される雨水を集水する構成を採用することも可能である。この場合、当該雨水が降水される領域をコンクリート面等の雨水を流下可能な構成のものを採用する場合には、上述の如きセパレータ２７を採用することが可能であるが、該領域を地面等として降水された雨水を泥水として流下可能なものを採用する場合には、上記セパレータ２７の前に沈殿槽を設け、当該沈殿槽とセパレータ２７とを接続することで、雨水を浄化して排水経路２２に導くことが可能とすることができる。
【００３４】
また、上水道系統３に接続されるボールタップ６２は、図６に示す如く、排水経路２２の上流端部となる受水桝３１ａ、３１ｂに設ける構成を採用することも可能である。この場合、当該上水道系統から供給される上水をも排水経路２２を上流から下流に向けて流すことができ、当該排水経路２２を上水によって洗浄することができるものとなる。
【符号の説明】
【００３５】
１     建物
２     建物躯体
３     上水道系統
５     雨水排水構造
２１ａ 第１集水部
２１ｂ 第２集水部
２２   排水経路
２３   排水部
３１ａ 第１受水桝
３１ｂ 第２受水桝
３２ａ 第１横樋部
３２ｂ 第２横樋部
３３   受水槽
５０   中水道系統
５７   中水利用設備
６２   ボールタップ
９１   公共排水系統
９２   公共上水道配管
Ａ     貯水部
【図１】
2011038295.tif 000003
【図２】
2011038295.tif 000004
【図３】
2011038295.tif 000005
【図４】
2011038295.tif 000006
【図５】
2011038295.tif 000007
【図６】
2011038295.tif 000008